(57)【要約】【課題】特定の電池セルのみ劣化が進行することを抑制できる電源システムを提供すること。【解決手段】複数の電池セル２を直列接続した組電池２０と、該組電池２０の充放電を制御する制御部６とを備える。制御部６は、組電池２０を充電した後、個々の電池セル２の電圧を測定し、その電圧の測定値を用いて、各電池セル２の充電率が予め定められた値よりも高い高充電状態になったか否かを判定する。そして、個々の電池セル２の、高充電状態になった回数である高充電回数Ｎを算出する。その後、高充電回数Ｎが最も大きい電池セル２を少なくとも放電し、その電圧を、放電していない電池セル２のいずれかよりも低くする。これにより、複数の電池セル２の、高充電回数Ｎのばらつきを小さくする。【選択図】図１
2019080434.tif 000002
【特許請求の範囲】
【請求項１】
複数の電池セル（２）を直列に接続してなる組電池（２０）と、
該組電池に直流電圧を加えることにより、上記複数の電池セルを一括して充電する充電部（３）と、
上記電池セルを個別に放電させる放電部（４）と、
個々の上記電池セルの電圧を測定する電圧測定部（５）と、
上記電池セルの充放電を制御する制御部（６）とを備え、
該制御部は、
上記充電部を用いて、上記複数の電池セルのうちいずれかが満充電になるまで上記組電池を充電する充電処理と、
該充電処理を行った後、個々の上記電池セルの電圧を測定する測定処理と、
個々の上記電池セルについて、上記電圧の測定値を用いて、充電率が予め定められた値よりも高い高充電状態になったか否かを判定し、個々の上記電池セルの、上記高充電状態になった回数である高充電回数（Ｎ）を算出する回数算出処理と、
上記高充電回数が最も多い上記電池セルを少なくとも放電し、その電圧を、放電していない電池セルのいずれかよりも低くすることにより、上記複数の電池セルの、上記高充電回数のばらつきを小さくする回数均等化処理と、
を行う、電源システム（１）。
【請求項２】
上記制御部は、上記回数算出処理において、満充電になった上記電池セルの電圧である満充電電圧（ＶFULL）との電圧差が、予め定められた状態閾値（ＶTHS）以内である上記電池セルを、上記高充電状態になっていると判定するよう構成されている、請求項１に記載の電源システム。
【請求項３】
上記制御部は、上記満充電電圧と、測定された最も低い電圧である最低電圧（ＶMIN）との差（ΔＶ）が、予め定められた電圧閾値（ＶTHV）よりも大きい場合は、上記電池セルを個別に放電させて、複数の上記電池セルの電圧のばらつきを上記電圧閾値以内にする電圧均等化処理を行うよう構成されている、請求項２に記載の電源システム。
【請求項４】
上記制御部は、上記差が上記電圧閾値よりも小さい場合に、上記回数均等化処理を行うよう構成されており、上記電圧閾値ＶTHVと上記状態閾値ＶTHSとは下記の関係を満たす、請求項３に記載の電源システム。
ＶTHV＞ＶTHS
【請求項５】
上記制御部は、上記回数算出処理において、満充電になっている上記電池セルのみを、上記高充電状態と判定するよう構成されている、請求項１に記載の電源システム。
【請求項６】
上記制御部は、個々の上記電池セルの上記高充電回数のうち、最も大きい値である最大高充電回数（ＮMAX）と、最も小さい値である最小高充電回数（ＮMIN）との差（ΔＮ）が、予め定められた値（ＮTH）よりも大きい場合に、上記回数均等化処理を行うよう構成されている、請求項１〜５のいずれか一項に記載の電源システム。
【請求項７】
上記制御部は、上記回数均等化処理において、上記高充電回数が最も少ない上記電池セル以外の上記電池セルを全て放電するよう構成されている、請求項１〜６のいずれか一項に記載の電源システム。
【請求項８】
上記制御部は、上記回数均等化処理において、上記高充電回数が最も大きい上記電池セルである最大回数電池セル（２MAX）は、予め定められた最大放電量（ＱMAX）を放電し、上記高充電回数が最も小さい上記電池セルである最小回数電池セル(２MIN)は放電せず、上記高充電回数が上記最大回数電池セルと上記最小回数電池セルとの間である全ての上記電池セルは、上記最大放電量よりも少ない一定の中間放電量（ＱMED）を放電するよう構成されている、請求項１〜７のいずれか一項に記載の電源システム。
【請求項９】
上記制御部は、上記回数均等化処理において、上記高充電回数が大きい上記電池セルほど多く放電するよう構成されている、請求項１〜７のいずれか一項に記載の電源システム。
【請求項１０】
上記電池セルは、オリビン構造を有するリン酸鉄リチウムを正極に用いたリチウムイオン二次電池である、請求項１〜９のいずれか一項に記載の電源システム。
【発明の詳細な説明】
【技術分野】
【０００１】
本発明は、複数の電池セルを直列接続した組電池と、該組電池の充放電を制御する制御部とを備える電源システムに関する。
【背景技術】
【０００２】
従来から、複数の電池セルを直列接続した組電池と、該組電池の充放電を制御する制御部とを備える電源システムが知られている（下記特許文献１参照）。電池セルは、例えばリチウムイオン二次電池等からなる。この電源システムでは、組電池を充電する際、組電池全体に直流電圧を加え、複数の電池セルを一括して充電する。
【０００３】
上記電池セルは、満充電になった後も充電を続けると劣化しやすい。そのため、組電池を充電する際は、複数の電池セルのいずれかが満充電になったときに充電を停止する。
【０００４】
充電した組電池を使用したり、暫く放置したりすると、個々の電池セルが自己放電等により放電し、各電池セルの電圧が低下する。組電池を構成する電池セルには、放電量が多いものと、少ないものがある。そのため、組電池を再び充電すると、放電量の少ない電池セル、すなわち残存する充電量が多い電池セルは、速く満充電になる。また、放電量の少ない電池セルは決まっており、常に特定の電池セルの放電量が少なくなる。したがって、充電処理を行うと、複数の電池セルのうち、放電量が少ない特定の電池セルが常に満充電になる。
【先行技術文献】
【特許文献】
【０００５】
【特許文献１】特開２０１２−１３５１５４号公報
【発明の概要】
【発明が解決しようとする課題】
【０００６】
上記電源システムは、上記特定の電池セルの劣化が進行する可能性がある。すなわち、リチウムイオン二次電池等の電池セルは、充電率を高くすると、電解液等が分解しやすくなる。上記電源システムでは、充電処理を行うと、放電量が少ない特定の電池セルが常に満充電になるため、この電池セルの劣化が進行しやすい。
【０００７】
本発明は、かかる課題に鑑みてなされたものであり、特定の電池セルのみ劣化が進行することを抑制できる電源システムを提供しようとするものである。
【課題を解決するための手段】
【０００８】
本発明の一態様は、複数の電池セル（２）を直列に接続してなる組電池（２０）と、
該組電池に直流電圧を加えることにより、上記複数の電池セルを一括して充電する充電部（３）と、
上記電池セルを個別に放電させる放電部（４）と、
個々の上記電池セルの電圧を測定する電圧測定部（５）と、
上記電池セルの充放電を制御する制御部（６）とを備え、
該制御部は、
上記充電部を用いて、上記複数の電池セルのうちいずれかが満充電になるまで上記組電池を充電する充電処理と、
該充電処理を行った後、個々の上記電池セルの電圧を測定する測定処理と、
個々の上記電池セルについて、上記電圧の測定値を用いて、充電率が予め定められた値よりも高い高充電状態になったか否かを判定し、個々の上記電池セルの、上記高充電状態になった回数である高充電回数（Ｎ）を算出する回数算出処理と、
上記高充電回数が最も多い上記電池セルを少なくとも放電し、その電圧を、放電していない電池セルのいずれかよりも低くすることにより、上記複数の電池セルの、上記高充電回数のばらつきを小さくする回数均等化処理と、
を行う、電源システム（１）にある。
【発明の効果】
【０００９】
上記電源システムの制御部は、上記回数算出処理と、上記回数均等化処理とを行う。
そのため、充電処理を行うたびに、放電量が少ない特定の電池セルが上記高充電状態になることを抑制できる。すなわち、上記回数均等化処理では、上記放電部を用いて、高充電回数が最も多い電池セルを少なくとも放電し、その電圧を、放電していない電池セルのいずれかよりも低くする。そのため、次に充電処理を行ったとき、放電した電池セルは高充電状態になりにくくなる。したがって、充電処理を行うたびに、特定の電池セルが高充電状態になることを抑制でき、この特定の電池セルのみ劣化することを抑制できる。そのため、組電池全体の寿命を長くすることができる。
【００１０】
以上のごとく、上記態様によれば、特定の電池セルのみ劣化が進行することを抑制できる電源システムを提供することができる。
なお、特許請求の範囲及び課題を解決する手段に記載した括弧内の符号は、後述する実施形態に記載の具体的手段との対応関係を示すものであり、本発明の技術的範囲を限定するものではない。
【図面の簡単な説明】
【００１１】
【図１】実施形態１における、電源システムの概念図。
【図２】実施形態１における、制御部のフローチャート。
【図３】実施形態１における、４個の電池セルを備える組電池の、各電圧を表したグラフ。
【図４】図３の状態から、充電処理を行った場合の、各電池セルの電圧を表したグラフ。
【図５】図４の状態から、電圧均等化処理を行った場合の、各電池セルの電圧を表したグラフ。
【図６】図５の状態から、組電池を使用した場合の、各電池セルの電圧を表したグラフ。
【図７】図４の状態から、回数均等化処理を行った場合の、各電池セルの電圧を表したグラフ。
【図８】図７の状態から、組電池を使用した場合の、各電池セルの電圧を表したグラフ。
【図９】図８の状態から、充電処理を行った場合の、各電池セルの電圧を表したグラフ。
【図１０】実施形態１における、各電池セルの電圧の時間変化を表したグラフ。
【図１１】実施形態１における、オリビン構造を有するリン酸鉄リチウムを正極に用いたリチウム電池の、ＳＯＣとＯＣＶの関係を表したグラフ。
【図１２】実施形態２における、制御部のフローチャート。
【図１３】実施形態３における、制御部のフローチャート。
【図１４】実施形態４における、制御部のフローチャート。
【図１５】実施形態５における、制御部のフローチャート。
【発明を実施するための形態】
【００１２】
（実施形態１）
上記電源システムに係る実施形態について、図１〜図１１を参照して説明する。図１に示すごとく、本形態の電源システム１は、組電池２０と、充電部３と、放電部４と、電圧測定部５と、制御部６とを備える。
【００１３】
組電池２０は、複数の電池セル２を直列に接続してなる。充電部３は、組電池２０に直流電圧を加え、これにより、複数の電池セル２を一括して充電する。放電部４は、電池セル２を個別に放電させる。電圧測定部５は、個々の電池セル２の電圧を測定する。制御部６は、電池セル２の充放電を制御する。
【００１４】
制御部６は、充電処理と、測定処理と、回数算出処理と、回数均等化処理とを行う。充電処理は、充電部３を用いて、複数の電池セル２のうちいずれかが満充電になるまで組電池２０を充電する処理である。また、測定処理は、充電処理を行った後、個々の電池セル２の電圧を測定する処理である。
【００１５】
回数算出処理では、個々の電池セル２について、電圧の測定値を用いて、充電率が予め定められた値より高い高充電状態になったか否かを判定する。そして、個々の電池セル２の、高充電状態になった回数である高充電回数Ｎを算出する。
【００１６】
また、回数均等化処理では、高充電回数Ｎが最も多い電池セル２を少なくとも放電し、その電圧を、放電していない電池セル２のいずれかよりも低くする。これにより、複数の電池セル２の、高充電回数Ｎのばらつきを小さくする。
【００１７】
本形態では、電池セル２として、リチウムイオン二次電池を用いている。このリチウムイオン二次電池の正極には、オリビン構造を有するリン酸鉄リチウムを用いている。
【００１８】
図１に示すごとく、組電池２０と充電部３との間には、充電スイッチ１１が配されている。組電池２０の充電量が低下した場合、制御部６は、充電スイッチ１１をオンする。これにより、組電池２０に直流電圧を加え、複数の電池セル２を一括して充電する。
【００１９】
また、組電池２０には、図示しない負荷が接続されている。組電池２０を用いて、この負荷を稼働するよう構成されている。
【００２０】
また、放電部４は、放電スイッチ４１と放電抵抗４２とを直列接続した直列体４０を複数個、備える。個々の直列体４０は、電池セル２に並列接続されている。制御部６は、上記回数均等化処理等を行うとき、放電スイッチ４１を個別にオンする。これにより、電池セル２を個別に放電させるよう構成されている。
【００２１】
図１１に示すごとく、オリビン構造を有するリン酸鉄リチウムを正極に用いたリチウムイオン二次電池は、充電率（ＳＯＣ）が１０〜９９％の間で、電圧が略一定になる。充電率が９９％以上になると、電圧が急に上昇する。充電率が高くなりすぎた場合、すなわち上記高充電状態になった場合、電池セル２内の電解液が分解する等の問題が発生しやすくなる。そのため、高充電状態になった電池セル２は、劣化しやすい。
【００２２】
図１０に、上記充電処理、測定処理、回数均等化処理等を行ったときの、電池セル２の電圧の変化を示す。図１０では、簡略化のため、４個の電池セル２（第１電池セル２a、第２電池セル２b、第３電池セル２c、第４電池セル２d）のみ記載してある。図１０に示すごとく、充電処理を行うと、個々の電池セル２の電圧が上昇する。そして、最も充電率が高い電池セル２（第１電池セル２a）が満充電になる。このとき、第１電池セル２aの電圧はＶFULL’になる。本形態では、いずれかの電池セル２の電圧がＶFULL’になったときに、充電を停止する。充電処理が完了したとき、４個の電池セル２a〜２dの充電量の関係は、以下のようになっている。
２a＞２b＞２c＞２d
【００２３】
充電処理を行った後、安定化処理を行う。ここでは、電池セル２を暫くの間、放置する。安定化処理を行うと、電池セル２が安定化し、電池セル２のＯＣＶ（Open Circuit Voltage）を測定できるようになる。この後、測定処理を行い、個々の電池セル２の電圧（ＯＣＶ）を測定する。
【００２４】
電池セル２の電圧を測定した後、上記回数均等化処理を行う。ここでは、特定の電池セル２（本形態では第１電池セル２aと第２電池セル２b）を放電する。そのため、放電した電池セル２a，２bの電圧は低下する。回数均等化処理の詳細については、後述する。
【００２５】
図３に、組電池２０を暫く使用した後の、各電池セル２a〜２bの電圧を示す。同図に示すごとく、４個の電池セル２a，２b，２c，２dのうち、第１電池セル２aの電圧が最も高くなっており、第４電池セル２dの電圧が最も低くなっている。
【００２６】
この状態で組電池２０を充電すると、図４に示すごとく、第１電池セル２aが満充電になる。第２電池セル２b〜第４電池セル２dは、満充電にならない。上述したように、満充電になった第１電池セル２aは劣化しやすい。また、満充電に近い状態になっている第２電池セル２bも、比較的劣化しやすい。
【００２７】
図４の状態から、電圧を均等にする処理（電圧均等化処理）を行うことができる。すなわち、第１電池セル２a〜第３電池セル２cを、放電部４を用いて個別に放電させ、これらの電池セル２の電圧を、第４電池セル２dの電圧に近づける。このようにすると、図５に示すごとく、複数の電池セル２a〜２dの電圧が殆ど等しくなる。
【００２８】
しかしながら、図５の後、組電池２０を使用したり、暫く放置したりすると、図６に示すごとく、各電池セル２a〜２dの電圧が再びばらついてしまう。これは、個々の電池セル２には自己放電等の放電が発生しており、電池セル２ごとに、この放電量にばらつきがあるためである。本形態では、第１電池セル２aは放電量が最も少なく、第２電池セル２bは、第１電池セル２aの次に放電量が少ない。第４電池セル２dは放電量が最も多い。したがって、組電池２０を使用した後、第１電池セル２aは電圧が高くなりやすく、第４電池セル２dは電圧が低くなりやすい。
【００２９】
この状態で再び組電池２０を充電すると、第１電池セル２aが再び満充電になり、第２電池セル２bは満充電に近い状態になる（図４参照）。したがって、上述した回数均等化処理を行わないと、充電する度に、第１電池セル２a及び第２電池セル２bが高充電状態になり、これらの電池セル２a，２bが劣化しやすくなる。
【００３０】
この問題を防止するため、本形態では、上記回数算出処理と、回数均等化処理を行っている。回数算出処理では、例えば図４に示すごとく、充電処理を完了した後、電圧が満充電電圧ＶFULLから予め定められた状態閾値ＶTHS以内にある電池セル２（本形態では第１電池セル２a、及び第２電池セル２b）を、高充電状態にあると判定する。そして、図７に示すごとく、高充電状態になった回数（すなわち高充電回数Ｎ）が多い電池セル２a，２bを、放電部４を用いて放電させる。そして、放電していない複数の電池セル２c，２dのうち最も電圧が低い電池セル２（第４電池セル２d）よりも、放電した電池セル２a，２bの電圧の方が低くなるようにする。
【００３１】
その後、組電池２０を使用したり、暫く放置したりすると、図８に示すごとく、個々の電池セル２は再び自己放電等で電圧が低下する。このときの各電池セル２の放電量の関係は２a＜２b＜２c＜２dであるが、予め放電部４で放電していたため、各電池セル２の電圧の関係、すなわち、第１電池セル２a及び第２電池セル２bの電圧が第４電池セル２dの電圧より低いという関係は維持される。
【００３２】
その後、組電池２０を充電すると、図９に示すごとく、充電前に最も電圧が高かった第３電池セル２cが満充電になる。そのため、第１電池セル２aと第２電池セル２bは高充電状態にならなくなる。これにより、複数の電池セル２の高充電回数Ｎを均等化している。すなわち、特定の電池セル２a，２bのみ繰り返し高充電状態になり、これらの電池セル２a，２bが劣化しやすくなる不具合を抑制している。
【００３３】
次に、制御部６のフローチャートについて説明する。図２に示すごとく、制御部６は、まずステップＳ１を行う。ここでは、組電池２０に直流電圧を加え、電池セル２を充電する。その後、ステップＳ２に移る。ここでは、いずれかの電池セル２が満充電になったか否かを判断する。すなわち、いずれかの電池セル２の電圧がＶFULL’（図１０参照）に達したか否かを判断する。ここでＮｏと判断したときはステップＳ１に戻り、Ｙｅｓと判断したときはステップＳ３に移る。
【００３４】
ステップＳ３では、個々の電池セル２の電圧を測定する。その後、ステップＳ４に移る。ここでは、個々の電池セル２について、電圧の測定値を用いて、高電圧状態になったか否かを判定する。すなわち、電圧が満充電電圧ＶFULL（図４参照）からＶFULL−ＶTHSの間にある電池セル２を、高充電状態になっていると判定する。
【００３５】
その後、ステップＳ５に移る。ここでは、高充電状態になった個々の電池セル２の高充電回数Ｎに１を加える。すなわち、制御部６は、個々の電池セル２について、過去の充電処理で高充電状態になった回数（高充電回数Ｎ）を記憶している。ステップＳ５では、今回の充電処理で高充電状態になった電池セル２に１を加える。これにより、各電池セル２の高充電回数Ｎを最新の値にする。
【００３６】
その後、ステップＳ６に移る。ここでは、満充電電圧ＶFULLと、測定された最も低い電圧である最低電圧ＶMINとの差ΔＶ（＝ＶFULL−ＶMIN）が、予め定められた電圧閾値ＶTHV（図４参照）より大きいか否かを判断する。ここでＹｅｓと判断したときは、ステップＳ７に移り、電圧均等化処理を行う。すなわち、ステップＳ６においてＹｅｓと判断された場合は、満充電電圧ＶFULLと最低電圧ＶMINとの差ΔＶが大きく、電池セル２の電圧のばらつきが大きい場合である。この場合は、ステップＳ７において、電圧が高い電池セル２を放電部４で放電させる。これにより、複数の電池セル２の電圧のばらつきを、上記電圧閾値ＶTHV以内にする。
【００３７】
また、ステップＳ６においてＮｏと判断した場合、すなわち各電池セル２の電圧のばらつきが小さい場合は、ステップＳ８に移る。ここでは、個々の電池セル２の高充電回数Ｎのうち、最も大きい値である最大高充電回数ＮMAXと、最も小さい値である最小高充電回数ＮMINとの差ΔＮ（＝ＮMAX−ＮMIN）が、予め定められた値ＮTHよりも大きいか否かを判断する。すなわち、複数の電池セル２の高充電回数Ｎのばらつきが、上記値ＮTHより大きいか否かを判断する。ここでＮｏ、つまり高充電回数Ｎのばらつきが小さいと判断した場合は、終了する。また、Ｙｅｓ、すなわち高充電回数Ｎのばらつきが大きいと判断した場合は、ステップＳ９に移る。
【００３８】
ステップＳ９では、上記回数均等化処理を行う。すなわち、高充電回数Ｎが最も多い電池セル２を少なくとも放電し、その電圧を、放電しない電池セル２のいずれかよりも低くする。より詳しくは、本形態では、ステップＳ４において、高充電状態になっていると判断した電池セル２を全て放電部４で放電させる。放電量は、全ての電池セル２について等しくする。また、放電後の全ての電池セル２は、その電圧が、放電しない電池セル２の最低電圧ＶMIN（図４参照）よりも低くなるようにする。このようにすることにより、高充電回数Ｎが多い電池セル２の電圧を下げ、再び充電処理を行ったときに、これらの電池セル２が高充電状態にならないようにする。これによって、特定の電池セル２のみ高充電回数Ｎが高くなり、劣化しやすくなる不具合を抑制する。
【００３９】
本形態の作用効果について説明する。図２に示すごとく、本形態では、充電処理（ステップＳ１、Ｓ２）と、測定処理（ステップＳ３）と、回数算出処理（ステップＳ４、Ｓ５）と、回数均等化処理（ステップＳ９）とを行う。
そのため、放電量が少ない特定の電池セル２が常に高充電状態になることを抑制できる。すなわち、回数均等化処理では、高充電回数Ｎが最も多い電池セル２を少なくとも放電部４で放電させ、その電圧を、放電していない電池セル２のいずれかよりも低くする。そのため、次に充電処理を行ったとき、放電した電池セル２は高充電状態になりにくくなる。したがって、特定の電池セル２が常に高充電状態になることを抑制でき、この特定の電池セル２のみ劣化することを抑制できる。そのため、組電池２０全体の寿命を長くすることができる。
【００４０】
また、本形態では、回数算出処理（ステップＳ４、Ｓ５）において、満充電電圧ＶFULLとの電圧差が、予め定められた状態閾値ＶTHS以内である電池セルを、高充電状態になっていると判定する。
このようにすると、満充電になっている電池セル２（例えば第１電池セル２a：図４参照）のみならず、満充電に近い状態になっている電池セル２（例えば第２電池セル２b）をも、高充電状態であると判定できる。電池セル２は、満充電に近い状態に繰り返しなった場合も、劣化が進行しやすくなるが、上記構成を採用すれば、特定の電池セル２bが繰り返し満充電に近い状態になることを抑制できる。そのため、この電池セル２bの劣化が進行することを抑制できる。
【００４１】
また、本形態では、図２のステップＳ６、Ｓ７に示すごとく、満充電電圧ＶFULLと最低電圧ＶMINとの差ΔＶ（＝ＶFULL−ＶMIN）が、予め定められた電圧閾値ＶTHVよりも大きい場合には、電圧均等化処理（ステップＳ７）を行う。
そのため、複数の電池セル２の電圧のばらつきが大きい場合は、電圧を均等にすることができる。したがって、組電池２０の充電効率等を高めることができる。
【００４２】
また、本形態では、図２のステップＳ６に示すごとく、上記差ΔＶ（＝ＶFULL−ＶMIN）が上記電圧閾値ＶTHVよりも小さい場合に、回数均等化処理（ステップＳ９）を行う。
そのため、充電後の電圧のばらつきが大きいときは電圧均等化処理を行い、ばらつきが小さいときは回数均等化処理を行うことができる。したがって、電圧均等化処理と回数均等化処理との一方のみ常に行われなくなり、両方の処理を均等に行うことができる。
【００４３】
また、図４に示すごとく、本形態では、電圧閾値ＶTHVと状態閾値ＶTHSとの関係が、下記のようにされている。
ＶTHV＞ＶTHS
そのため、ＶTHSを比較的小さくすることができ、ステップＳ４において高充電状態であると判断する電圧の範囲（ＶFULL〜ＶFULL−ＶTHS）を狭くすることができる。したがって、ステップＳ４において、全ての電池セル２が上記範囲（ＶFULL〜ＶFULL−ＶTHS）内に入り、全ての電池セル２が高充電状態であると判定される不具合を抑制できる。
【００４４】
また、本形態では、図２のステップＳ８に示すごとく、最大高充電回数ＮMAXと最小高充電回数ＮMINとの差ΔＮ（＝ＮMAX−ＮMIN）が、予め定められた値ＮTHより大きい場合にのみ、回数均等化処理（ステップＳ９）を行う。
そのため、高充電回数Ｎのばらつきが小さいときには回数均等化処理を行わなくてすみ、制御部６の負担を低減することができる。
【００４５】
また、本形態の電池セル２は、オリビン構造を有するリン酸鉄リチウムを正極に用いたリチウムイオン二次電池である。このような電池セル２は、図１１に示すごとく、高充電状態になると急に電圧が上昇し、特に劣化しやすくなる。そのため、特定の電池セル２のみ頻繁に高充電状態になることを抑制できる本発明を適用した場合の効果は大きい。
【００４６】
以上のごとく、本形態によれば、特定の電池セルのみ劣化が進行することを抑制できる電源システムを提供することができる。
【００４７】
なお、本形態では、回転数均等化処理において、図４、図７に示すごとく、放電部４で放電した電池セル２a，２bの電圧を、放電しない複数の電池セル２c，２dの電圧のうち最も低い電圧（最低電圧ＶMIN）よりも低くしているが、本発明はこれに限るものではない。すなわち、放電した電池セル２a，２bの電圧を、放電しない電池セル２c，２dの電圧のうち最も高い電圧（Ｖc）より低く、最低電圧ＶMINより高い値にしてもよい。
【００４８】
以下の実施形態においては、図面に用いた符号のうち、実施形態１において用いた符号と同一のものは、特に示さない限り、実施形態１と同様の構成要素等を表す。
【００４９】
（実施形態２）
本形態は、制御部６のフローチャートを変更した例である。本形態のフローチャートを図１２に示す。同図のフローチャートにおいて、ステップＳ１〜Ｓ３、ステップＳ５〜Ｓ９は実施形態１と同様なので、説明を省略する。図１２のステップＳ４’に示すごとく、本形態では、回数算出処理において、満充電になっている電池セル２のみを、高充電状態であると判定する。
【００５０】
本形態の作用効果について説明する。上述のようにすると、高充電状態であるか否かを容易に判断できる。したがって、制御部６の負荷を低減することができる。
その他、実施形態１と同様の構成および作用効果を備える。
【００５１】
（実施形態３）
本形態は、制御部６のフローチャートを変更した例である。本形態のフローチャートを図１３に示す。同図のフローチャートにおいて、ステップＳ１〜Ｓ８は実施形態１と同様なので、説明を省略する。本形態では図１３のステップＳ９’に示すごとく、回数均等化処理において、高充電回数Ｎが最も少ない電池セル２以外の電池セル２を、放電部４によって全て放電させる。
【００５２】
本形態の作用効果について説明する。上述のようにすると、回数均等化処理を行った後、高充電回数Ｎが最も少ない電池セル２の電圧が、最も高くなる。そのため、次に充電処理を行うと、この電池セル２が満充電になり、高充電回数Ｎが１つ増えることになる。したがって、複数の電池セル２の高充電回数Ｎを容易に均等化することができる。
その他、実施形態１と同様の構成および作用効果を備える。
【００５３】
（実施形態４）
本形態は、制御部６のフローチャートを変更した例である。本形態のフローチャートを図１４に示す。同図のフローチャートにおいて、ステップＳ１〜Ｓ８は実施形態１と同様なので、説明を省略する。本形態では図１４のステップＳ９’’に示すごとく、回数均等化処理において、高充電回数Ｎが最も大きい電池セル２である最大回数電池セル２MAXは、予め定められた最大放電量ＱMAX（Ａｈ）を放電し、高充電回数Ｎが最も小さい電池セルである最小回数電池セル２MINは放電しない。また、高充電回数Ｎが最大回数電池セル２MAXと最小回数電池セル２MINとの間の全ての電池セル２（以下、中間回数電池セル２MEDとも記す）は、最大放電量ＱMAXよりも少ない一定の中間放電量ＱMEDを放電する。
【００５４】
本形態の作用効果について説明する。上記構成にすると、高充電回数Ｎが最も大きい電池セル２（最大回数電池セル２MAX）は、放電量を特に多くすることができる。そのため、次に充電処理を行ったときに、最大回数電池セル２MAXが高充電状態になることを、効果的に抑制できる。また、全ての中間回数電池セル２MEDは、放電量が一定であるため、制御を簡素にすることができる。したがって、制御部６の負担を低減できる。
その他、実施形態１と同様の構成および作用効果を備える。
【００５５】
（実施形態５）
本形態は、制御部６のフローチャートを変更した例である。本形態のフローチャートを図１５に示す。同図のフローチャートにおいて、ステップＳ１〜Ｓ８は実施形態１と同様なので、説明を省略する。本形態の制御部６は、図１５のステップＳ９’’’に示すごとく、回数均等化処理において、高充電回数が大きい電池セル２ほど、放電部４による放電を多くするよう構成されている。
【００５６】
より詳しくは、本形態では、各電池セル２の放電量ｑ(ｉ)を、以下の式を用いて決定している。
ｑ(ｉ)＝{Ｎ(ｉ)−ＮMIN}／{ＮMAX−ＮMIN}×Ｑ
ｉは、電池セル２の番号を表す整数である。また、ＮMINは最小高充電回数であり、ＮMAXは最大高充電回数である。Ｑは、高充電回数Ｎが最も大きい電池セル２の放電量である。
【００５７】
例えば、第１電池セル２aと第２電池セル２bと第３電池セル２cとの、３個の電池セル２を有する組電池２０があったとする。また、第１電池セル２aの高充電回数Ｎ（１）が１であり、第２電池セル２bの高充電回数Ｎ（２）が２であり、第３電池セル２cの高充電回数Ｎ（３）が３であったとする。この場合、第１電池セル２aの放電量ｑ（１）、第２電池セル２ｂの放電量ｑ（２）、第３電池セルの放電量ｑ（３）は、以下のように算出される。
ｑ（１）＝{１−１}／{３−１}×Ｑ＝０
ｑ（２）＝{２−１}／{３−１}×Ｑ＝Ｑ／２
ｑ（３）＝{３−１}／{３−１}×Ｑ＝Ｑ
このように、上記式を用いると、高充電回数Ｎが大きい電池セル２ほど、放電量を多くすることができる。
【００５８】
本形態の作用効果について説明する。本形態では、高充電回数Ｎが大きい電池セル２ほど、放電部４による放電量を多くしている。そのため、高充電回数Ｎが大きい電池セルほど、次に充電処理を行ったときに、高充電状態になりにくくなる。したがって、高充電回数Ｎをより均等化しやすい。
その他、実施形態１と同様の構成および作用効果を備える。
【符号の説明】
【００５９】
１  電源システム
２  電池セル
２０  組電池
３  充電部
４  放電部
５  電圧測定部
６  制御部
Ｎ  高充電回数
【図１】
2019080434.tif 000003
【図２】
2019080434.tif 000004
【図３】
2019080434.tif 000005
【図４】
2019080434.tif 000006
【図５】
2019080434.tif 000007
【図６】
2019080434.tif 000008
【図７】
2019080434.tif 000009
【図８】
2019080434.tif 000010
【図９】
2019080434.tif 000011
【図１０】
2019080434.tif 000012
【図１１】
2019080434.tif 000013
【図１２】
2019080434.tif 000014
【図１３】
2019080434.tif 000015
【図１４】
2019080434.tif 000016
【図１５】
2019080434.tif 000017